【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
グリップと、
ゴルフクラブシャフトと、
ホーゼル部分、クラウン、及びソール部分を有するゴルフクラブヘッドであって、
前記クラウンが、前記クラブヘッドの上面を画定し、クラウン部分を備え、前記クラウン部分が、
前記クラウン部分に形成され、クラウン棚部及び接合壁によって画定される、クラウン凹部領域と、
前記クラウン凹部領域内に少なくとも部分的に配置されているクラウンインサートと、
を含む、ゴルフクラブヘッドと、
前記ゴルフクラブヘッドのトゥ側から前記ゴルフクラブヘッドのヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心にして時計回りに３０度回転させることによって画定される、第２の垂直平面と、
前記第１の垂直平面を、前記中心Ｚ軸を中心にして反時計回りに３０度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りに３０度回転させることによって画定される、第５の垂直平面と、
前記第４の垂直平面を、前記中心Ｚ軸を中心として反時計回りに３０度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び、前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び、前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び、前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び、前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び、前記第５の限界点において前記接合壁に対して直角である垂直平面上に取られた第５の断面と、
を含み、
それぞれの断面が、前記クラウンインサートと前記接合壁との間の接合間隙を画定し、前記接合壁の前記上縁部と前記クラウンインサートの上部周縁部との間の前記Ｘ−Ｙ平面に平行に測定される、第１の限界寸法を有し、それぞれの断面の前記第１の限界寸法がＡｍｍ以下であり、５つの前記断面のうちの２つ以上の断面間の前記第１の限界寸法の平均変動が０．２ｍｍ以下であり、
前記クラウン棚部が、第１の長さを有する第１の領域と、第２の長さを有する第２の領域と、を含み、
前記第１の長さが、前記ゴルフクラブヘッドの前記Ｙ軸に平行な方向において前記接合壁から前記クラウンの開口まで測定されるものであり、前記第２の長さが、前記ゴルフクラブヘッドの前記Ｙ軸に平行な方向において前記接合壁から前記クラウンの前記開口まで測定されるものであり、
前記第１の長さが前記第２の長さより大きく、
前記第１の領域及び前記第２の領域が、前記ゴルフクラブヘッドの前記前側部分において前記第５の垂直平面と前記第６の垂直平面との間に配置され、
前記Ｙ軸に平行な方向における前記ゴルフクラブヘッドのフェースから前記接合壁までの距離が変化することによって、前記第１の長さが前記第２の長さより大きくなっている、ゴルフクラブ。
【請求項２】
Ａが１．０ｍｍである、請求項１に記載のゴルフクラブ。
【請求項３】
前記２つ以上の断面間の前記第１の限界寸法の前記平均変動が、０．１５ｍｍ以下である、請求項１又は請求項２に記載のゴルフクラブ。
【請求項４】
前記２つ以上の断面間の前記第１の限界寸法の前記平均変動が、０．１ｍｍ〜０ｍｍである、請求項１から請求項３のいずれかに記載のゴルフクラブ。
【請求項５】
前記クラウンインサートの一部と、前記クラウン部分の一部とが対比色である、請求項１から請求項４のいずれかに記載のゴルフクラブ。
【請求項６】
前記クラウンインサートが、前記クラウンインサートの前記上部周縁部まで延在する上層を含み、前記ゴルフクラブヘッドの前記前側部分に位置する前記クラウンインサートの前記上部周縁部において可視である、請求項１から請求項５のいずれかに記載のゴルフクラブ。
【請求項７】
前記接合間隙が可視であり、マスキング層によってカバーされていない、請求項１から請求項６のいずれかに記載のゴルフクラブ。
【請求項８】
それぞれの断面が、前記接合壁と前記クラウンインサートの底部周縁部との間の前記Ｘ−Ｙ平面に平行して測定される第２の限界寸法を有し、それぞれの断面の前記第２の限界寸法が、Ｂｍｍ以下であり、２つ以上の前記断面間の前記第２の限界寸法の平均変動が、０．２ｍｍ以下である、請求項１から請求項７のいずれかに記載のゴルフクラブ。
【請求項９】
Ｂが１．０ｍｍである、請求項８に記載のゴルフクラブ。
【請求項１０】
前記２つ以上の断面間の前記第２の限界寸法の前記平均変動が、０．１５ｍｍ以下である、請求項８又は請求項９に記載のゴルフクラブ。
【請求項１１】
前記クラウンインサートの前記上部周縁部における前記クラウンインサートの前記上面の少なくとも一部が、前記接合壁における前記クラウン部分の上面より下に配置されている、請求項１から請求項１０のいずれかに記載のゴルフクラブ。
【請求項１２】
前記クラウンインサートの前記上部周縁部における前記クラウンインサートの前記上面の少なくとも一部が、前記接合壁における前記クラウン部分の前記上面より、垂直距離で０．１ｍｍ〜０．３ｍｍだけ下に配置されている、請求項１１に記載のゴルフクラブ。
【請求項１３】
前記ホーゼル部分が、前記ゴルフクラブシャフトに装着されたスリーブを受容するように構成されており、前記スリーブが、前記ゴルフクラブヘッドのロフト角、ライ角、又はフェース角を調節するように位置付けられることが可能である、請求項１から請求項１２のいずれかに記載のゴルフクラブ。
【請求項１４】
前記クラウン棚部が、棚部表面と前記クラウンインサートとの間の棚部間隙を画定する棚部表面を含み、前記棚部間隙が０．３ｍｍ以下である、請求項１から請求項１３のいずれかに記載のゴルフクラブ。
【請求項１５】
前記ゴルフクラブヘッドが、前記ゴルフクラブヘッドの第１の位置から第２の位置へ移動するように構成されている移動可能ウェイトを含む、請求項１から請求項１４のいずれかに記載のゴルフクラブ。
【請求項１６】
前記クラウンインサートは、さらなる機械加工工程を必要とせずに前記第１の限界寸法の前記平均変動が形成されるように、最終的な形状に機械加工され前記クラウン凹部領域に配置される、請求項１から請求項１５のいずれかに記載のゴルフクラブ。
【請求項１７】
ゴルフクラブヘッドであって、
前記クラブヘッドの上面を画定するクラウンであって、
クラウン部分と、
前記クラウン部分に形成され、クラウン棚部及び接合壁によって画定される、クラウン凹部領域と、
前記クラウン凹部領域内に少なくとも部分的に配置されているクラウンインサートと、
を含む、クラウンと、
前記ゴルフクラブヘッドのトゥ側から前記ゴルフクラブヘッドの前記ヒール側までのＸ軸に沿って測定される幅寸法と、
前記ゴルフクラブヘッドの最も前方の点から前記ゴルフクラブヘッドの最も後方の点までのＹ軸に沿って測定される奥行き寸法と、
前記幅寸法の中点及び前記奥行き寸法の中点で前記クラウンを通って垂直方向に延在する中心Ｚ軸と、
前記クラブヘッドの前記上面で前記中心Ｚ軸と交差し、前記Ｙ軸と平行に延在する、中心Ｙ軸と、
前記クラブヘッドの前記上面で前記中心Ｚ軸と交差し、前記Ｘ軸と平行に延在する、中心Ｘ軸と、
前記中心Ｚ軸及び前記中心Ｙ軸によって画定される第１の垂直平面と、
前記第１の垂直平面を、前記中心Ｚ軸を中心として時計回りにθ度回転させることによって画定される、第２の垂直平面と、
前記第１の垂直平面を、前記中心Ｚ軸を中心として反時計回りにθ度回転させることによって画定される、第３の垂直平面と、
前記中心Ｚ軸及び前記中心Ｘ軸によって画定される、第４の垂直平面と、
前記第４の垂直平面を、前記中心Ｚ軸を中心として時計回りにβ度回転させることによって画定される、第５の垂直平面と、
前記第４の垂直平面を、前記中心Ｚ軸を中心として反時計回りにβ度回転させることによって画定される、第６の垂直平面と、
前記中心Ｙ軸及び前記中心Ｘ軸によって画定されるＸ−Ｙ平面と、
前記第１の垂直平面と前記接合壁の上縁部との間の交点にある、前記クラブヘッドの前側部分に位置する第１の限界点、及び、前記第１の限界点において前記接合壁に対して直角である垂直平面上に取られた第１の断面と、
前記第２の垂直平面と前記接合壁の前記上縁部との間の交点にある、前記クラブヘッドの前記前側部分に位置する第２の限界点、及び、前記第２の限界点において前記接合壁に対して直角である垂直平面上に取られた第２の断面と、
前記第３の垂直平面と前記接合壁の前記上縁部との間の交点にある、前記クラブヘッドの前記前側部分に位置する第３の限界点、及び、前記第３の限界点において前記接合壁に対して直角である垂直平面上に取られた第３の断面と、
前記第５の垂直平面と前記接合壁の前記上縁部との間の交点にある、前記クラブヘッドの前記前側部分に位置する第４の限界点、及び、前記第４の限界点において前記接合壁に対して直角である垂直平面上に取られた第４の断面と、
前記第６の垂直平面と前記接合壁の前記上縁部との間の交点にある、前記クラブヘッドの前記前側部分に位置する第５の限界点、及び、前記第５の限界点において前記接合壁に対して直角である垂直平面上に取られた第５の断面と、
を含み、
それぞれの断面が、前記クラウンインサートと前記接合壁との間の接合間隙を画定し、前記接合壁の前記上縁部と前記クラウンインサートの上部周縁部との間のＸ−Ｙ平面に平行に測定される、第１の限界寸法を有し、それぞれの断面の前記第１の限界寸法がＡｍｍ以下であり、２つ以上の前記断面間の前記第１の限界寸法の平均変動が０．１５ｍｍ以下であり、
θが１度〜４５度の範囲であり、βが１度〜４４度の範囲であり、
前記クラウン棚部が、第１の長さを有する第１の領域と、第２の長さを有する第２の領域と、を含み、
前記第１の長さが、前記ゴルフクラブヘッドの前記Ｙ軸に平行な方向において前記接合壁から前記クラウンの開口まで測定されるものであり、前記第２の長さが、前記ゴルフクラブヘッドの前記Ｙ軸に平行な方向において前記接合壁から前記クラウンの前記開口まで測定されるものであり、
前記第１の長さが前記第２の長さより大きく、
前記第１の領域及び前記第２の領域が、前記ゴルフクラブヘッドの前記前側部分において前記第５の垂直平面と前記第６の垂直平面との間に配置され、
前記Ｙ軸に平行な方向における前記ゴルフクラブヘッドのフェースから前記接合壁までの距離が変化することによって、前記第１の長さが前記第２の長さより大きくなっている、ゴルフクラブヘッド。
【請求項１８】
Ａが１．０ｍｍであり、θ及びβが３０度である、請求項１７に記載のゴルフクラブヘッド。